(57)【要約】【課題】通行人に対しても効果的かつ効率の良いサイネージ端末のコンテンツ表示による広告を実施する。【解決手段】サイネージ端末に対して所定の範囲内にいる人物の情報を入力する情報入力手段と、入力された人物の情報に基づき人物の種別を判定する種別判定手段と、判定結果を単位時間で曜日および時間にリンクさせて統計し、単位時間あたりの人物の属性傾向情報として第１記憶部に蓄積する蓄積手段と、所定のタイミングで、第２記憶部を参照し、第１記憶部に蓄積されている単位時間ごとの属性傾向情報に関連するメタ情報が付加されているコンテンツデータを選択するコンテンツ選択手段と、選択されたコンテンツデータを統計された時間に合わせて並べることによってコンテンツ再生のタイムスケジュールを作成するタイムスケジュール作成手段と、タイムスケジュールに従ってコンテンツデータをサイネージ端末に配信する配信手段と、を備える。【選択図】図７
2014014014.tif 000002
【特許請求の範囲】
【請求項１】
コンテンツデータを再生して表示するサイネージ端末に対して所定の範囲内にいる人物の情報を入力する情報入力手段と、
前記情報入力手段により入力された前記人物の情報に基づき人物の種別を判定する種別判定手段と、
前記種別判定手段による判定結果を単位時間で曜日および時間にリンクさせて統計し、単位時間あたりの人物の属性傾向情報として第１記憶部に蓄積する蓄積手段と、
所定のタイミングで、コンテンツデータと当該コンテンツデータに関連付けられる属性情報であるメタ情報とを記憶する第２記憶部を参照し、前記第１記憶部に蓄積されている単位時間ごとの前記属性傾向情報に関連するメタ情報が付加されているコンテンツデータを選択するコンテンツ選択手段と、
前記コンテンツ選択手段により選択されたコンテンツデータを統計された時間に合わせて並べることによってコンテンツ再生のタイムスケジュールを作成するタイムスケジュール作成手段と、
前記タイムスケジュールに従ってコンテンツデータを前記サイネージ端末に配信する配信手段と、
を備える情報配信装置。
【請求項２】
前記種別判定手段は、
前記情報入力手段により入力された人物の情報に基づき人物の人数を判定する人数判定手段と、
前記情報入力手段により入力された人物の情報に基づき人物の年齢および性別の判定を行う年齢性別判定手段と、
前記人数判定手段により得られた人物の人数の判定結果と、前記年齢性別判定手段により得られた人物の年齢および性別の判定結果とに基づき、人物のグループの判定を行うグループ判定手段と、
を備える、
請求項１記載の情報配信装置。
【請求項３】
前記情報入力手段は、前記人物の情報を前記サイネージ端末に設けられたカメラユニットにより撮像した撮像画像データから得る、
請求項１または２記載の情報配信装置。
【請求項４】
前記情報入力手段が前記撮像画像データから情報を得る前記人物は、前記サイネージ端末の前で立ち止まる閲覧者および前記サイネージ端末の前を通る通行人である、
請求項３記載の情報配信装置。
【請求項５】
コンテンツデータを再生して表示するサイネージ端末と、
前記サイネージ端末と通信ネットワークを介して接続された請求項１ないし４のいずれか一記載の情報配信装置と、
を備えるサイネージシステム。
【請求項６】
コンピュータを、
コンテンツデータを再生して表示するサイネージ端末に対して所定の範囲内にいる人物の情報を入力する情報入力手段と、
前記情報入力手段により入力された前記人物の情報に基づき人物の種別を判定する種別判定手段と、
前記種別判定手段による判定結果を単位時間で曜日および時間にリンクさせて統計し、単位時間あたりの人物の属性傾向情報として第１記憶部に蓄積する蓄積手段と、
所定のタイミングで、コンテンツデータと当該コンテンツデータに関連付けられる属性情報であるメタ情報とを記憶する第２記憶部を参照し、前記第１記憶部に蓄積されている単位時間ごとの前記属性傾向情報に関連するメタ情報が付加されているコンテンツデータを選択するコンテンツ選択手段と、
前記コンテンツ選択手段により選択されたコンテンツデータを統計された時間に合わせて並べることによってコンテンツ再生のタイムスケジュールを作成するタイムスケジュール作成手段と、
前記タイムスケジュールに従ってコンテンツデータを前記サイネージ端末に配信する配信手段と、
として機能させるためのプログラム。
【発明の詳細な説明】
【技術分野】
【０００１】
本発明の実施形態は、情報配信装置、サイネージシステムおよびプログラムに関する。
【背景技術】
【０００２】
広告、イベント、お知らせ等のコンテンツを不特定者に提示する仕組みとして、表示装置等のサイネージ端末にデジタル化されたコンテンツを表示再生させる情報表示システム、いわゆるデジタルサイネージシステムが知られている。
【０００３】
このようなデジタルサイネージシステムにおいては、サイネージ端末の前で立ち止まった閲覧者の属性の判断を行い、判断結果に応じてコンテンツを選択するようにしているものがある。
【発明の概要】
【発明が解決しようとする課題】
【０００４】
しかしながら、従来のデジタルサイネージシステムでは、サイネージ端末の前で立ち止まった閲覧者に対しては効果的なコンテンツ表示による広告等を提供することができるが、サイネージ端末の前を通る通行人に対しても効果的かつ効率の良いサイネージ端末のコンテンツ表示による広告の実施が望まれている。
【課題を解決するための手段】
【０００５】
実施形態の情報配信装置は、情報入力手段と、種別判定手段と、蓄積手段と、コンテンツ選択手段と、タイムスケジュール作成手段と、配信手段と、を備える。前記情報入力手段は、コンテンツデータを再生して表示するサイネージ端末に対して所定の範囲内にいる人物の情報を入力する。前記種別判定手段は、前記情報入力手段により入力された前記人物の情報に基づき人物の種別を判定する。蓄積手段は、前記種別判定手段による判定結果を単位時間で曜日および時間にリンクさせて統計し、単位時間あたりの人物の属性傾向情報として第１記憶部に蓄積する。コンテンツ選択手段は、所定のタイミングで、コンテンツデータと当該コンテンツデータに関連付けられる属性情報であるメタ情報とを記憶する第２記憶部を参照し、前記第１記憶部に蓄積されている単位時間ごとの前記属性傾向情報に関連するメタ情報が付加されているコンテンツデータを選択する。前記タイムスケジュール作成手段は、前記コンテンツ選択手段により選択されたコンテンツデータを統計された時間に合わせて並べることによってコンテンツ再生のタイムスケジュールを作成する。前記配信手段は、前記タイムスケジュールに従ってコンテンツデータを前記サイネージ端末に配信する。
【図面の簡単な説明】
【０００６】
【図１】図１は、実施形態にかかるサイネージシステムの概略構成を示すブロック図である。
【図２】図２は、サイネージ端末の外観正面図である。
【図３】図３は、サイネージ端末の概略構成を示すブロック図である。
【図４】図４は、情報配信サーバの概略構成を示すブロック図である。
【図５】図５は、コンテンツデータベースに蓄積されるデータの構成を示す図である。
【図６】図６は、属性データベースに蓄積されるデータの構成を示す図である。
【図７】図７は、情報配信サーバの機能構成を示すブロック図である。
【図８】図８は、属性データベースに対するデータ蓄積処理の流れを示すフローチャートである。
【図９】図９は、カメラユニットによる撮像範囲内にいる閲覧者または通行人を示す図である。
【図１０】図１０は、サイネージ端末に対するコンテンツの表示スケジュール生成処理の流れを示すフローチャートである。
【発明を実施するための形態】
【０００７】
図１は、実施形態にかかるサイネージシステム１０の概略構成を示すブロック図である。以下の説明では、実施形態にかかるサイネージシステム１０がショッピングモールに設けられた場合について説明する。
【０００８】
本実施形態にかかるサイネージシステム１０は、情報配信装置である情報配信サーバ１１と、複数のサイネージ端末１４とを主体に構成されている。
【０００９】
情報配信サーバ１１は、構内ＬＡＮ（Local  Area  Network）等の通信ネットワーク１２を介してサイネージ端末１４に接続されており、商品の広告情報やイベントの情報などの情報のコンテンツをサイネージ端末１４に対して配信、またはコンテンツをサイネージ端末１４からのアクセスによって取得させる。
【００１０】
サイネージ端末１４は、サイネージ端末として機能するものであって、通信ネットワーク１２を介して情報配信サーバ１１から配信または取得したコンテンツデータを再生して表示する。
【００１１】
図２は、サイネージ端末１４の外観正面図である。図２に示すように、サイネージ端末１４は、液晶ディスプレイあるいはプラズマディスプレイとして構成されたディスプレイユニット２１と、各種チケット，クーポン等を印刷して発行するプリンタユニット２２と、ディスプレイユニット２１、プリンタユニット２２を保持する筐体部２４と、を備えている。
【００１２】
筐体部２４の上部には、人物を撮影して画像認識を行い、人物の性別や年齢層を特定し、配信する情報の種類を制御する等の用途に用いられるカメラユニット２５が内蔵されている。また、筐体部２４の下部には、ＢＧＭや広告音声等の各種音響出力を行うスピーカユニット２６が内蔵されている。なお、画像認識等の処理は、サイネージ端末１４で行うことなく、情報配信サーバ１１等の上流側サーバで行っても良い。
【００１３】
図３は、サイネージ端末１４の概略構成を示すブロック図である。図３に示すように、サイネージ端末１４は、上述したディスプレイユニット２１、プリンタユニット２２、カメラユニット２５、およびスピーカユニット２６の他、当該サイネージ端末１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、コンテンツデータなどの各種データを記憶する外部記憶装置３５と、を備えている。外部記憶装置３５は、ハードディスク装置（ＨＤＤ：Hard  Disk  Drive）やＳＳＤ（Solid  State  Drive）装置などで実現される。
【００１４】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツデータを再生して、再生したコンテンツデータをディスプレイユニット２１に表示する。また、操作部３２は、各種スイッチ、ボタン等で構成したり、タッチパネルとしてディスプレイユニット２１と一体に構成したりしても良い。
【００１５】
このような構成により、サイネージ端末１４は、基本的には、情報配信サーバ１１で再生スケジュールとして予め設定された複数のコンテンツデータを受信または取得する。そして、サイネージ端末１４は、ディスプレイユニット２１を用いて、コンテンツデータとして広告する商品（以下、「広告商品」という場合がある。）に関する広告情報（広告商品を撮影した動画像や、広告商品を紹介または説明する文章など）を表示したり、スピーカユニット２６を用いて、広告商品を紹介または説明する音声を出力したりする。
【００１６】
次に、情報配信サーバ１１について説明する。図４は、情報配信サーバ１１の概略構成を示すブロック図である。図４に示すように、情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末１４との間で通信を行うためのネットワーク通信インタフェース（ＩＦ）４３と、各種データや制御プログラムを記憶する外部記憶装置４４と、液晶ディスプレイとして構成されたディスプレイユニット４５と、を備えている。外部記憶装置４４は、ハードディスク装置（ＨＤＤ：Hard  Disk  Drive）やＳＳＤ（Solid  State  Drive）装置などで実現される。
【００１７】
ここで、コントローラ４１は、当該コントローラ４１全体を制御するＭＰＵ４６と、ＭＰＵ４６が動作するための制御プログラム等を格納したＲＯＭ４７と、各種データを一時的に記憶するＲＡＭ４８と、を備えている。
【００１８】
即ち、コントローラ４１は、ＭＰＵ４６がＲＯＭ４７や外部記憶装置４４などに格納される制御プログラムをＲＡＭ４８に展開して実行することにより、各種構成要素の動作を制御するとともに、ネットワーク通信ＩＦ４３および通信ネットワーク１２を介して接続されるサイネージ端末１４との間で各サイネージ端末１４に配信するコンテンツデータなどの各種データを送受信する動作を制御するものである。
【００１９】
また、外部記憶装置４４は、コンテンツデータを蓄積するコンテンツデータベースＤＢ１を格納している。なお、本実施形態では、情報配信サーバ１１が有する外部記憶装置４４にコンテンツデータベースＤＢ１が格納されているが、これに限定するものではなく、例えば、情報配信サーバ１１と通信ネットワーク１２を介して接続された記憶装置（図示せず）にコンテンツデータベースＤＢ１が記憶されていても良い。
【００２０】
図５は、コンテンツデータベースＤＢ１に蓄積されるデータの構成を示す図である。図５に示すように、第２記憶部であるコンテンツデータベースＤＢ１には、コンテンツを識別する識別情報としてコンテンツＩＤと、当該コンテンツＩＤにより識別されるコンテンツのコンテンツ名と、当該コンテンツＩＤにより識別されるコンテンツデータと、コンテンツデータに付加されるメタ情報と、が蓄積されている。
【００２１】
図５に示すように、例えば、コンテンツ名「アニメ関連商品」にはメタ情報としてサイネージ端末１４の前で立ち止まる閲覧者（以下、閲覧者という）またはサイネージ端末１４の前を通る通行人（以下、通行人という）の属性情報「男性、１０代以下」が関連付けられている。また、「ファッション」にはメタ情報として閲覧者または通行人の属性情報「女性、２０代」が関連付けられている。
【００２２】
加えて、情報配信サーバ１１においては、サイネージ端末１４の前で立ち止まる閲覧者の属性情報のみならず、サイネージ端末１４の前を通る通行人の属性情報をも含めた単位時間あたりの属性情報について曜日や時間毎に統計した結果を、曜日や時間をリンクさせて蓄積する属性データベースＤＢ２を外部記憶装置４４に格納している。なお、本実施形態では、情報配信サーバ１１が有する外部記憶装置４４に属性データベースＤＢ２が格納されているが、これに限定するものではなく、例えば、情報配信サーバ１１と通信ネットワーク１２を介して接続された記憶装置（図示せず）に属性データベースＤＢ２が記憶されていても良い。
【００２３】
図６は、属性データベースＤＢ２に蓄積されるデータの構成を示す図である。図６に示すように、第１記憶部である属性データベースＤＢ２には、統計された単位時間（例えば、３０分、１時間等）あたりの閲覧者または通行人の属性傾向情報（性別、年齢、人数、グループ種類など）が曜日および時間にリンクされて蓄積される。
【００２４】
図６に示すように、例えば、平日の朝９時〜１０時は「男性主体」であると属性傾向情報に分類されており、平日の昼１２時〜１３時は「家族」「６０代男性」「６０代女性」であると属性傾向情報に分類されている。
【００２５】
次に、実施形態にかかる情報配信装置である情報配信サーバ１１が有する特徴的な機能について説明する。概略的には、情報配信サーバ１１においては、上述のように曜日や時間をリンクさせて閲覧者や通行人の属性情報を蓄積しておく。そして、当該属性情報に基づいてコンテンツデータに含まれるメタ情報を検索することができるので、時間に合わせて最適なコンテンツを選択して再生スケジュールを生成するとともに、時間に合わせて最適なコンテンツをサイネージ端末１４に対して配信するようにしたものである。
【００２６】
図７は、情報配信サーバ１１の機能構成を示すブロック図である。コントローラ４１は、ＲＯＭ４７に記憶された制御プログラムに従ってＭＰＵ４６を動作させることで、図７に示すように、情報入力手段４６１、種別判定手段４６２、蓄積手段４６３、コンテンツ選択手段４６４、タイムスケジュール作成手段４６５、配信手段４６６として機能する。
【００２７】
情報入力手段４６１は、サイネージ端末１４に対して所定の範囲内にいる人物の情報を入力する。本実施形態においては、情報入力手段４６１は、サイネージ端末１４の前で立ち止まる閲覧者およびサイネージ端末１４の前を通る通行人の情報をサイネージ端末１４に設けられたカメラユニット２５により撮像した撮像画像データから得る。
【００２８】
種別判定手段４６２は、情報入力手段４６１により入力された閲覧者および通行人の情報に基づき閲覧者および通行人の種別を判定する。種別判定手段４６２は、図７に示すように、人数判定手段４６２１と、年齢性別判定手段４６２２と、グループ判定手段４６２３と、を備える。
【００２９】
人数判定手段４６２１は、情報入力手段４６１により入力された閲覧者および通行人の情報に基づき閲覧者および通行人の人数を判定する。年齢性別判定手段４６２２は、情報入力手段４６１により入力された閲覧者および通行人の情報に基づき閲覧者および通行人の年齢および性別の判定を行う。グループ判定手段４６２３は、人数判定手段４６２１により得られた閲覧者および通行人の人数の判定結果と、年齢性別判定手段４６２２により得られた閲覧者および通行人の年齢および性別の判定結果とに基づき、閲覧者および通行人のグループの判定を行う。
【００３０】
蓄積手段４６３は、種別判定手段４６２による判定結果を単位時間で曜日および時間にリンクさせて統計し、単位時間あたりの閲覧者および通行人の属性傾向情報として属性データベースＤＢ２に蓄積する。
【００３１】
コンテンツ選択手段４６４は、所定のタイミングで、コンテンツデータベースＤＢ１を参照し、属性データベースＤＢ２に蓄積されている単位時間ごとの閲覧者および通行人の属性傾向情報に関連するメタ情報が付加されているコンテンツデータを選択する。
【００３２】
タイムスケジュール作成手段４６５は、コンテンツ選択手段４６４により選択されたコンテンツデータを統計された時間に合わせて並べることによってコンテンツ再生のタイムスケジュールを作成する。
【００３３】
配信手段４６６は、タイムスケジュール作成手段４６５で作成されたタイムスケジュールに従ってコンテンツデータをサイネージ端末１４に配信する。
【００３４】
次に、上述した本実施形態に係るサイネージシステム１０におけるコンテンツの表示処理について説明する。まず、コンテンツの表示処理の一部である属性データベースＤＢ２に対するデータ蓄積処理について説明する。
【００３５】
図８は、属性データベースＤＢ２に対するデータ蓄積処理の流れを示すフローチャートである。図８に示すように、まず、サイネージ端末１４のＭＰＵ３６は、カメラユニット２５により撮像した閲覧者または通行人の撮像画像データを所定のタイミング（例えば、１分間隔）で、情報配信サーバ１１に送信する（ステップＳ１）。
【００３６】
情報配信サーバ１１の情報入力手段４６１は、カメラユニット２５により撮像した閲覧者または通行人の撮像画像データを所定のタイミング（例えば、１分間隔）で受信すると（ステップＳ１０のＹｅｓ）、人数判定手段４６２１は、得られた撮像画像データ中の閲覧者または通行人のシルエットに基づいて閲覧者または通行人の人数判定を行う（ステップＳ１１）。
【００３７】
図９は、サイネージ端末１４のカメラユニット２５による撮像範囲内にいる閲覧者または通行人を示す図であり、（Ａ）は撮像範囲と閲覧者または通行人との位置関係を、（Ｂ）は撮像画像データ中の閲覧者または通行人のシルエットを示している。
【００３８】
図９（Ａ）に示すように、カメラユニット２５による撮像範囲Ｆ内に、閲覧者または通行人である複数の人物Ａ、Ｂ、Ｃがいる場合、図９（Ｂ）に示すように、撮像画像データ中には、Ａ、Ｂ、Ｃの３名分のシルエットが認識されることになる。なお、人数判定は、図９（Ｂ）に示す撮像画像データに表示される各閲覧者または通行人について、後述する年齢性別判定手段４６２２による年齢および性別の判定を行いうる大きさで表示される範囲内で任意の人数を定めることができる。
【００３９】
人物のシルエットの認識は、例えば、撮像画像データ中に人間の頭部、胴体および手足に相当する部分がある場合には、人数判定手段４６２１がそれらに連続した領域を人物のシルエットであると認識することで行われる。あるいは、撮像画像データ中に人間の顔面、すなわち目、鼻、口に相当する部分がある場合には、人数判定手段４６２１がその顔面に連続した領域を人物のシルエットであると認識することで人物のシルエットの認識が行われる。人数判定手段４６２１は、こうして認識した人物のシルエットに基づき、撮像範囲Ｆ内にいる閲覧者または通行人の人数を判定する。
【００４０】
図８のフローチャートに戻り、人数判定手段４６２１により閲覧者または通行人の人数が把握されると、年齢性別判定手段４６２２は、人数判定手段４６２１により得られた閲覧者または通行人について、年齢および性別の判定を行う（ステップＳ１２）。年齢性別判定手段４６２２による閲覧者または通行人についての年齢および性別の判定手法としては、カメラユニット２５による撮像画像データの各閲覧者または通行人の顔画像から特徴量を抽出し、当該特徴量に基づいてその人物の年齢・性別を判別する周知の手法を用いることができる。
【００４１】
次に、グループ判定手段４６２３は、人数判定手段４６２１により得られた閲覧者または通行人の人数、年齢性別判定手段４６２２により得られた閲覧者または通行人の年齢および性別の判定結果に基づき、閲覧者または通行人のグループの判定を行う（ステップＳ１３）。
【００４２】
例えば、グループ判定手段４６２３は、閲覧者または通行人が１名である場合には、「２０代前半男性」、「３０代後半女性」等と判定する。また、グループ判定手段４６２３は、閲覧者または通行人が２名の男女で年齢層が１０代後半から２０代前半である場合には「カップル」、２名の男女で年齢層が２０代後半以上である場合には「夫婦」であると判定する。また、グループ判定手段４６２３は、２名以上のグループであって、その中に少なくとも１名の幼児や児童と、少なくとも１名の成年が含まれる場合には「家族」であると判定する。また、グループ判定手段４６２３は、２名以上の同じ年齢層の男性のみまたは女性のみのグループである場合には「友人」と判定する。
【００４３】
また、グループ判定手段４６２３は、上述したグループ（「カップル」、「夫婦」、「家族」、「友人」）に該当しない場合、閲覧者または通行人の性別の判定結果に応じて「男性主体」、「女性主体」および「不特定多数」の３つのグループ分けを行う。
【００４４】
上述したように、グループ判定手段４６２３は、閲覧者または通行人の人数や性別、年齢層に応じて、閲覧者または通行人を「２０代前半男性」、「３０代後半女性」、「カップル」、「夫婦」、「家族」、「友人」、「男性主体」、「女性主体」、「不特定多数」等のグループに分類する。
【００４５】
次いで、蓄積手段４６３は、グループ判定手段４６２３による判定結果を、単位時間（例えば、３０分、１時間等）で曜日および時間にリンクさせて統計し、単位時間あたりの閲覧者または通行人の属性傾向情報（性別、年齢、人数、グループ種類など）として属性データベースＤＢ２に蓄積する（ステップＳ１４）。以上により、属性データベースＤＢ２に対するデータ蓄積処理が終了する。
【００４６】
次に、サイネージ端末１４に対するコンテンツの表示スケジュール生成処理について説明する。図１０は、サイネージ端末１４に対するコンテンツの表示スケジュール生成処理の流れを示すフローチャートである。
【００４７】
図１０に示すように、情報配信サーバ１１のＭＰＵ４６のコンテンツ選択手段４６４は、所定のタイミング（例えば、週に１回）で、外部記憶装置４４に記憶されている図５に示すコンテンツデータベースＤＢ１を参照し、属性データベースＤＢ２に蓄積されている単位時間ごとの閲覧者または通行人の属性傾向情報に関連するメタ情報が付加されているコンテンツデータを選択する（ステップＳ２１）。
【００４８】
そして、ＭＰＵ４６のタイムスケジュール作成手段４６５は、コンテンツ選択手段４６４により選択されたコンテンツデータを、統計された時間に合わせて並べることによってコンテンツを再生するタイムスケジュールを作成する（ステップＳ２２）。
【００４９】
例えば、タイムスケジュール作成手段４６５は、単位時間において複数のコンテンツデータが選択された場合には、選択された全てのコンテンツデータが統計された時間内で再生されるように並べる。なお、統計された時間内においては、選択されたコンテンツデータのみを繰り返し含むものでも良いし、選択されたコンテンツデータ以外のコンテンツデータを含むものでも良い。
【００５０】
情報配信サーバ１１のＭＰＵ４６の配信手段４６６は、このようにして作成したタイムスケジュールに従ってコンテンツデータをサイネージ端末１４に対して配信し、サイネージ端末１４にコンテンツデータの再生を実行させる。
【００５１】
以上説明した実施形態のサイネージシステム１０によれば、サイネージ端末１４のカメラユニット２５によって撮像したサイネージ端末１４の前で立ち止まる閲覧者およびサイネージ端末１４の前を通る通行人の属性傾向情報（性別、年齢、人数、グループ種類など）を曜日および時間にリンクして蓄積し、属性傾向情報に関連するメタ情報が付加されているコンテンツデータを選択するとともに、選択したコンテンツデータを統計された時間に合わせて並べることによってコンテンツ再生のタイムスケジュールを作成して再生する。これにより、時間に合わせて最適なコンテンツを選択して再生スケジュールを作成するとともに、時間に合わせて最適なコンテンツをサイネージ端末１４に対して配信することができるので、サイネージ端末１４の前を通る通行人に対しても効果的かつ効率の良いサイネージ端末１４のコンテンツ表示による広告を実施することができる。
【００５２】
なお、上述した実施形態においては閲覧者または通行人の情報を入力する情報入力手段４６１として、撮像範囲内にいる視聴者を撮影するカメラユニット２５が用いられていたが、これに限るものではなく、ＲＦＩＤリーダなどを用いるようにしてもよい。ＲＦＩＤリーダを用いる場合には、視聴者が所持している会員カードや携帯電話等の記憶媒体に、顧客ＩＤとともに顧客の性別や年齢等の情報を記憶しておく。そして、ＲＦＩＤリーダが無線通信の通信範囲内にいる閲覧者または通行人の記憶媒体から閲覧者または通行人の性別や年齢層等の情報を読み出す。こうして読み出された閲覧者または通行人の情報に基づき、上述した実施形態と同様に、閲覧者または通行人の人数、性別および年齢層等が判定され、グループ判定手段４６２３が閲覧者または通行人のグループを判定する。そして、判定された閲覧者または通行人のグループに基づき、コンテンツ選択手段４６４が表示するコンテンツを選択し、タイムスケジュール作成手段４６５が選択されたコンテンツデータを統計された時間に合わせて並べることによってコンテンツを再生するタイムスケジュールを作成する。
【００５３】
なお、本実施形態においては、サイネージシステムとして情報配信サーバ１１と、複数のサイネージ端末１４とを主体に構成されているサイネージシステム１０を適用するようにしたが、これに限るものではない。例えば、情報表示システムとしてサイネージ端末１４を適用して、情報配信サーバ１１における処理動作をサイネージ端末１４に実行させるようにしても良い。
【００５４】
本実施形態の情報配信サーバ１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５５】
また、本実施形態の情報配信サーバ１１で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０      サイネージシステム
１１      情報配信装置
１４      サイネージ端末
２５      カメラユニット
４６１      情報入力手段
４６２      種別判定手段
４６３      蓄積手段
４６４      コンテンツ選択手段
４６５      タイムスケジュール作成手段
４６６      配信手段
４６２１    人数判定手段
４６２２    年齢性別判定手段
４６２３    グループ判定手段
ＤＢ１      第２記憶部
ＤＢ２      第１記憶部
【先行技術文献】
【特許文献】
【００５８】
【特許文献１】特開２００８−２４９７８４号公報
【特許文献２】特開２０１０−２２４３２９号公報
【図１】
2014014014.tif 000003
【図２】
2014014014.tif 000004
【図３】
2014014014.tif 000005
【図４】
2014014014.tif 000006
【図５】
2014014014.tif 000007
【図６】
2014014014.tif 000008
【図７】
2014014014.tif 000009
【図８】
2014014014.tif 000010
【図９】
2014014014.tif 000011
【図１０】
2014014014.tif 000012